(57)【特許請求の範囲】
【請求項１】
ｗｅｂページを格納しているｗｅｂサーバと、該ｗｅｂサーバとの間で通信可能且つ電話番号としての発信接続識別データを有する発信者端末装置と、電話番号としての着信接続識別データを有する着信者端末装置と、前記発信者端末装置及び前記着信者端末装置の間を通信させるための呼制御サーバとを備える電話通信システムであって、
電話番号としての転送接続識別データを有し、前記呼制御サーバを介して前記発信者端末装置及び前記着信者端末装置との間で通信可能な転送先端末装置を更に含み、
前記ｗｅｂサーバは、前記着信接続識別データが記載されているｗｅｂページと、前記転送接続識別データが記載されているｗｅｂページとを各々有し、
前記発信者端末装置は、
前記呼制御サーバを介して前記着信者端末装置及び前記転送先端末装置との間で通信を行うための電話通信アプリケーションを記憶するアプリケーション記憶部と、
前記着信接続識別データが記載されているｗｅｂページを表示し、前記着信者端末装置との電話通信を可能にすべく、発信者に前記着信接続識別データを選択させるための表示選択部と、
前記着信接続識別データの選択と連動して前記電話通信アプリケーションを前記アプリケーション記憶部から読み出して起動して、選択された前記着信接続識別データを前記呼制御サーバへ送信するための制御部とを備え、
前記表示選択部は、前記発信者端末装置が前記着信者端末装置と電話通信を行う際、前記転送接続識別データが記載されているｗｅｂページを表示し、前記転送先端末装置への電話の転送を可能にすべく、前記発信者に前記転送接続識別データを選択させ、
前記制御部は、前記転送接続識別データの選択と連動して、選択された前記転送接続識別データを前記呼制御サーバへ送信することを特徴とする電話通信システム。
【請求項２】
前記制御部は、前記着信接続識別データの前記選択を検出するための検出部と、前記検出部によって前記選択が検出されると、前記電話通信アプリケーションの起動を実行する実行部とを更に備えることを特徴とする請求項１記載の電話通信システム。
【請求項３】
前記制御部は、前記検出部により検出された前記着信接続識別データが前記電話番号であるか否かを判断するための判断部を更に備え、
前記着信接続識別データが前記電話番号であると判断されると、前記実行部は、前記起動を実行することを特徴とする請求項２記載の電話通信システム。
【請求項４】
前記実行部は、前記表示選択部に、更に前記着信者端末装置に対する発信を要求するか否かを前記発信者に選択させるための発信選択メニュー画面を表示させ、該発信選択に基づいて発信要求を生成することを特徴とする請求項３記載の電話通信システム。
【請求項５】
前記発信者端末装置は、前記発信接続識別データを記憶する発信接続識別データ記憶部を更に備え、
前記制御部は、前記発信接続識別データ記憶部から前記発信接続識別データを読み出す読出部と、読み出された前記発信接続識別データと、選択された前記着信接続識別データと、生成された前記発信要求とを前記呼制御サーバへ送信する送信部とを更に備えることを特徴とする請求項４記載の電話通信システム。
【請求項６】
前記検出部は、更に前記転送接続識別データの前記選択を検出し、
前記判断部は、更に検出された前記転送接続識別データが前記電話番号であるか否かを判断し、
前記転送接続識別データが前記電話番号であると判断されると、前記実行部は、前記表示選択部に、更に前記転送先端末装置に対する電話の転送を要求するか否かを前記発信者に選択させるための転送選択メニュー画面を表示させ且つ該転送選択に基づいて転送要求を生成し、
前記送信部は、更に検出された前記転送接続識別データと生成された前記転送要求とを前記呼制御サーバへ送信する
ことを特徴とする請求項５記載の電話通信システム。
【請求項７】
前記発信者端末装置、前記着信者端末装置及び前記転送先端末装置は、それぞれインターネットを介して前記ｗｅｂサーバと通信可能且つＩＰネットワークを介して前記呼制御サーバと通信可能な電話機能を有するパーソナルコンピュータからなり、前記発信接続識別データ、前記着信接続識別データ及び前記転送接続識別データは、それぞれ前記パーソナルコンピュータのＩＰアドレスからなることを特徴とする請求項６記載の電話通信システム。
【請求項８】
前記発信者端末装置、前記着信者端末装置及び前記転送先端末装置は、それぞれインターネットを介して前記ｗｅｂサーバと通信可能且つ無線電話ネットワークを介して前記呼制御サーバと通信可能な携帯電話機からなり、前記発信接続識別データ、前記着信接続識別データ及び前記転送接続識別データは、前記携帯電話機の電話番号からなることを特徴とする請求項６記載の電話通信システム。
【請求項９】
前記発信者端末装置、前記着信者端末装置及び前記転送先端末装置は、それぞれインターネットを介して前記ｗｅｂサーバと通信可能且つＩＰネットワークを介して前記呼制御サーバと通信可能な電話機能を有する携帯情報端末（ＰＤＡ）からなり、前記発信接続識別データ、前記着信接続識別データ及び前記転送接続識別データは、前記携帯情報端末のＩＰアドレスからなることを特徴とする請求項６記載の電話通信システム。
【請求項１０】
前記着信者端末装置及び前記転送先端末装置は、それぞれ電話回線を介して前記呼制御サーバと通信可能な電話機からなり、前記着信接続識別データ及び前記転送接続識別データは、それぞれ前記電話機の電話番号からなることを特徴とする請求項６記載の電話通信システム。
【請求項１１】
前記電話番号は、複数の数字からなる接続番号或いは複数の英数字及び記号からなる接続アドレスであることを特徴とする請求項１記載の電話通信システム。
【発明の詳細な説明】
【技術分野】
【０００１】
本発明は、呼制御サーバ及びｗｅｂサーバを利用して電話通信を行う電話通信システムに関し、特に、ｗｅｂページ上で電話番号としての接続識別データを選択するだけで電話通信を実行可能な電話通信システムに関する。
【背景技術】
【０００２】
従来、一般の電話機や電話機能を有する端末装置等からなる電話端末の間で、呼制御サーバを介して音声通話を行う電話通信システムが利用されている。
【０００３】
このようなシステムでは、一つの電話端末、即ち発信者電話端末から他の電話端末、即ち着信者電話端末に対して通話を行う場合、発信者が発信者電話端末を操作して、着信者電話端末を特定するための電話番号或いは接続アドレス等からなる接続識別データを入力すると、入力された接続識別データが呼制御サーバへ送信される。そして、呼制御サーバは、該接続識別データに基づいて着信者電話端末を特定して呼処理を実行し、該着信者電話端末から応答を受けると、２つの電話端末を接続させる。そして、発信者電話端末と着信者電話端末との間の音声通話が開始される。
【０００４】
発信者電話端末がｗｅｂサーバに接続可能な電話機能を有する端末装置からなる場合、発信者が、発信者電話端末に予めインストールされた電話通信アプリケーションを起動させて、発信を行うための発信画面を表示させ、着信者電話端末の接続識別データを所定位置に入力して発信ボタンを選択すると、入力された接続識別データが発信者電話端末から呼制御サーバへ送信される。
【０００５】
ところが、上記システムを利用する場合、発信者は、着信者電話端末の接続識別データを予め把握している必要がある。そのため、一例として、発信者は、発信者電話端末を既存のｗｅｂサーバと接続させ、着信者電話端末の接続識別データが記載されたｗｅｂページを端末表示部に表示させることにより、該接続識別データを入手することができる。
【０００６】
この接続識別データを入手した後、発信者は、上記したように、電話通信を要求する場合、電話通信アプリケーションの起動及び入手した接続識別データの入力等を別々に実行しなければならないため、作業が面倒である。
【０００７】
また、このようなシステムを利用して、音声通話中の発信者電話端末及び着信者電話端末の何れかが、第三者の電話端末に対して、電話の転送を行うことも可能である。
【０００８】
この場合、例えば、発信者が、通話中の発信者電話端末を操作して、電話通信アプリケーションにおける転送画面を表示させ、転送先の電話端末の接続識別データを入力して転送ボタンを選択すると、入力された接続識別データが呼制御サーバへ送信される。そして、呼制御サーバは、該接続識別データに基づいて転送先の電話端末を特定して呼処理を実行し、発信者電話端末と転送先の電話端末とを接続する。更に、発信者電話端末からの通信が切断されると、呼制御サーバは、着信者電話端末と転送先の電話端末とを接続させて、電話を転送する。
【０００９】
一方、特許文献１及び特許文献２には、呼制御サーバ及びｗｅｂサーバを利用して電話通信を行う電話通信システムの技術が開示されている。
【００１０】
例えば、特許文献１に開示された電話通信システムでは、ｗｅｂサーバは、各電話端末を特定して接続を行うための接続識別データとしての電話番号を、該電話端末のユーザの氏名と対応させて予め記憶している。また、ｗｅｂサーバは、発信者が着信者電話端末の電話番号を把握していなくても着信者電話端末を選択可能とすべくｗｅｂページを格納しており、該ｗｅｂページには、各電話端末のユーザの氏名が表示されている複数の選択ボタンが設けられている。
【００１１】
このような電話通信システムでは、発信者電話端末から着信者電話端末に対して通話を行う場合、発信者が、発信者電話端末をｗｅｂサーバと接続させて、画面上にｗｅｂページを表示させ、該ｗｅｂページ上で、自分の電話番号を入力すると共に、接続しようとする相手の氏名に対応する選択ボタンを選択すると、該選択による選択情報と入力された発信者電話端末の電話番号とがｗｅｂサーバへ送信される。
【００１２】
ｗｅｂサーバは、受信した選択情報に基づいて、着信者電話端末の電話番号を読み出す。そして、ｗｅｂサーバは、読み出された着信者電話端末の電話番号と受信した発信者電話端末の電話番号とを、呼制御サーバへ送信する。
【００１３】
そして、呼制御サーバが、ｗｅｂサーバから受信した両電話番号に基づいて、発信者電話端末と着信者電話端末とを接続させる。
【特許文献１】特開２００２−１５２４０６号公報
【特許文献２】特開２００２−１７６５００号公報
【発明の開示】
【発明が解決しようとする課題】
【００１４】
しかし、特許文献１及び特許文献２に開示された電話通信システムを実現するためには、既存のｗｅｂサーバに対して、上記した選択ボタン等が設けられたｗｅｂページの開発が必要となるうえ、更に、該ｗｅｂサーバ及び既存の呼制御サーバに対して、これらの間の通信機能を実現するために新規開発しなければならず、手間やコストがかかってしまうという問題があった。
【００１５】
更に、特許文献１及び特許文献２には、第三者の電話端末に対して電話を転送する技術は、全く開示されていない。この転送技術を実現するためには、更なる複雑な新規開発が必要となってしまう。
【００１６】
したがって、既存のｗｅｂサーバ及び既存の呼制御サーバをそのまま利用して、ｗｅｂページ上に表示された電話番号としての接続識別データを選択するだけで電話通信及び電話の転送を可能とする電話通信システムが望まれていた。
【課題を解決するための手段】
【００１７】
本発明は、以上の点を解決するために、次の構成を採用する。
〈構成〉
本発明に係る電話通信システムは、ｗｅｂページを格納しているｗｅｂサーバと、該ｗｅｂサーバとの間で通信可能且つ電話番号としての発信接続識別データを有する発信者端末装置と、電話番号としての着信接続識別データを有する着信者端末装置と、発信者端末装置及び着信者端末装置の間を通信させるための呼制御サーバとを備える電話通信システムであって、電話番号としての転送接続識別データを有し、呼制御サーバを介して発信者端末装置及び着信者端末装置との間で通信可能な転送先端末装置を更に含み、ｗｅｂサーバは、着信接続識別データが記載されているｗｅｂページと、転送接続識別データが記載されているｗｅｂページとを各々有し、発信者端末装置は、呼制御サーバを介して着信者端末装置及び転送先端末装置との間で通信を行うための電話通信アプリケーションを記憶するアプリケーション記憶部と、着信接続識別データが記載されているｗｅｂページを表示し、着信者端末装置との電話通信を可能にすべく、発信者に着信接続識別データを選択させるための表示選択部と、着信接続識別データの選択と連動して電話通信アプリケーションをアプリケーション記憶部から読み出して起動して、選択された着信接続識別データを呼制御サーバへ送信するための制御部とを備え、表示選択部は、発信者端末装置が着信者端末装置と電話通信を行う際、転送接続識別データが記載されているｗｅｂページを表示し、転送先端末装置への電話の転送を可能にすべく、発信者に転送接続識別データを選択させ、制御部は、転送接続識別データの選択と連動して、選択された転送接続識別データを呼制御サーバへ送信することを特徴とする電話通信システム。
【００１８】
本発明に係る電話通信システムにおいて、制御部は、着信接続識別データの選択を検出するための検出部と、検出部によって選択が検出されると、電話通信アプリケーションの起動を実行する実行部とを更に備えることができる。
【００１９】
この場合、制御部は、検出部により検出された着信接続識別データが電話番号であるか否かを判断するための判断部を更に備え、着信接続識別データが電話番号であると判断されると、実行部は、電話通信アプリケーションの起動を実行する。
【００２０】
また、実行部は、表示選択部に、更に着信者端末装置に対する発信を要求するか否かを発信者に選択させるための発信選択メニュー画面を表示させ、該発信選択に基づいて発信要求を生成する。
【００２１】
更に、発信者端末装置は、発信接続識別データを記憶する発信接続識別データ記憶部を備え、制御部は、発信接続識別データ記憶部から発信接続識別データを読み出す読出部と、読み出された発信接続識別データと、選択された着信接続識別データと、生成された発信要求とを呼制御サーバへ送信する送信部とを備えることができる。
【００２２】
検出部は、更に転送接続識別データの選択を検出し、判断部は、更に検出された転送接続識別データが電話番号であるか否かを判断し、転送接続識別データが電話番号であると判断されると、実行部は、表示選択部に、更に転送先端末装置に対する電話の転送を要求するか否かを発信者に選択させるための転送選択メニュー画面を表示させ且つ該転送選択に基づいて転送要求を生成し、送信部は、更に検出された転送接続識別データと生成された転送要求とを呼制御サーバへ送信することを特徴とする。
【００２３】
本発明に係る電話通信システムにおいて、発信者端末装置、着信者端末装置及び転送先端末装置として、それぞれインターネットを介してｗｅｂサーバと通信可能且つＩＰネットワークを介して呼制御サーバと通信可能な電話機能を有するパーソナルコンピュータを採用することができる。この場合、発信接続識別データ、着信接続識別データ及び転送接続識別データは、それぞれパーソナルコンピュータのＩＰアドレスである。
【００２４】
また、発信者端末装置、着信者端末装置及び転送先端末装置として、それぞれインターネットを介してｗｅｂサーバと通信可能且つ無線電話ネットワークを介して呼制御サーバと通信可能な携帯電話機を採用することもできる。この場合、発信接続識別データ、着信接続識別データ及び転送接続識別データは、携帯電話機の電話番号である。
【００２５】
更に、発信者端末装置、着信者端末装置及び転送先端末装置として、それぞれインターネットを介してｗｅｂサーバと通信可能且つＩＰネットワークを介して呼制御サーバと通信可能な電話機能を有する携帯情報端末（ＰＤＡ）を採用することもできる。この場合、発信接続識別データ、着信接続識別データ及び転送接続識別データは、携帯情報端末のＩＰアドレスである。
【００２６】
また、着信者端末装置及び転送先端末装置として、それぞれ電話回線を介して呼制御サーバと通信可能な電話機を採用することもできる。この場合、着信接続識別データ及び転送接続識別データは、それぞれ電話機の電話番号である。
【００２７】
本発明に係る電話通信システムにおいて、電話番号は、複数の数字からなる接続番号或いは複数の英数字及び記号からなる接続アドレスである。
【発明の効果】
【００２８】
本発明の電話通信システムによれば、既存のｗｅｂサーバ及び既存の呼制御サーバをそのまま利用できるので、開発のための多大な手間及びコストが不要となる。また、ｗｅｂページ上に表示された電話番号としての接続識別データを選択するだけで電話通信及び電話の転送が実行可能となるので、電話通信システムの利便性が向上される。
【発明を実施するための最良の形態】
【００２９】
以下、本発明の実施形態を図を用いて詳細に説明する。
【実施例１】
【００３０】
図１は、本発明に係る電話通信システムの実施例１の構成を示すブロック図である。この電話通信システム１０を利用することにより、ｗｅｂページ上に表示された接続識別データを選択して電話通信を行うことができる。
【００３１】
電話通信システム１０は、図１に示されるように、発信者端末装置１１、着信者端末装置１２、呼制御サーバ１３及びｗｅｂサーバ１４を備えている。
【００３２】
発信者端末装置１１は、本実施例ではインターネット１５を介してｗｅｂサーバ１４に接続可能且つＩＰネットワーク１６を介して呼制御サーバ１３に接続可能なパーソナルコンピュータ１７と、該パーソナルコンピュータ１７に接続されヘッドフォン及びマイクからなるヘッドセット１８とを備えている。
【００３３】
パーソナルコンピュータ１７は、アプリケーション記憶部１９、発信接続識別データ記憶部２０、表示選択部２１及びこれら各部を制御する制御部２４を備えている。
【００３４】
アプリケーション記憶部１９は、呼制御サーバ１３を介して着信者端末装置１２との間で通信を行うための電話通信アプリケーションを記憶している記憶部であり、発信選択メニュー画面２２を記憶している。
【００３５】
発信選択メニュー画面２２には、発信の要求を発信者に選択させるための発信選択ボタンが設けられている。
【００３６】
発信接続識別データ記憶部２０は、発信者端末装置１１を特定して接続を行うための電話番号としての発信接続識別データを記憶する専用記憶部であり、発信接続識別データは、本実施例では複数の英数字及び記号からなる接続アドレスとしてのＩＰアドレスである。
【００３７】
表示選択部２１は、表示部２５及び選択部２６を備えている。
【００３８】
表示部２５は、例えばディスプレイからなり、ｗｅｂページを表示するｗｅｂブラウザ機能や、上記した発信選択メニュー画面２２を表示する機能を有している。
【００３９】
選択部２６は、本実施例ではマウスからなり、表示部２５に表示されたｗｅｂページに記載されている接続識別データや、表示された画面に設けられている選択ボタン等を、発信者に選択させる機能を有している。
【００４０】
制御部２４は、検出部２９、取得部３０、一時記憶部３１、読出部３２、判断部３３、実行部３４及び通信部３５を備えている。
【００４１】
検出部２９は、選択部２６により接続識別データが選択されたことを検出する機能を有する。
【００４２】
取得部３０は、選択部２６により選択された接続識別データを取得する機能を有する。
【００４３】
一時記憶部３１は、取得部３０により取得された接続識別データを一時的に記憶する記憶部である。
【００４４】
読出部３２は、一時記憶部３１に記憶された接続識別データや、アプリケーション記憶部１９に記憶された電話通信アプリケーション等を読み出す機能を有する。
【００４５】
判断部３３は、読出部３２により読み出された接続識別データが電話番号であるか否かを判断する機能を有する。本実施例では、判断部３３による電話番号であるか否かの判断は、接続識別データが複数の英数字及び記号からなるか否かに基づいて行われるが、これに限定されない。
【００４６】
実行部３４は、読出部３２によりアプリケーション記憶部１９から読み出された電話通信アプリケーションを起動する機能や、発信選択メニュー画面２２において、選択部２６により発信選択ボタンが選択されると、着信者端末装置１２に対する発信を要求するための発信要求を生成する機能を有する。
【００４７】
通信部３５は、実行部３４により生成された発信要求を呼制御サーバ１３へ送信する送信部としての機能を有し、ＩＰネットワーク１６を介して呼制御サーバ１３との間で通信を行い、また、インターネット１５を介してｗｅｂサーバ１４との間で通信を行う。
【００４８】
ヘッドセット１８は、パーソナルコンピュータ１７に接続され、発信者が装着して利用する送受話器としての機能を有し、通話部２３を備えている。
【００４９】
通話部２３は、受話部２７及び送話部２８を備えている。
【００５０】
受話部２７は、本実施例ではヘッドフォンからなり、パーソナルコンピュータ１７を介して受信した着信者端末装置１２及び呼制御サーバ１３からの音声を発信者に対して送出する受話器としての機能を有する。
【００５１】
送話部２８は、本実施例ではマイクからなり、発信者から受けた音声をパーソナルコンピュータ１７を介して着信者端末装置１２側へ送出する送話器としての機能を有する。
【００５２】
着信者端末装置１２は、例えば、呼制御サーバ１３と電話回線ネットワークを介して接続される電話機或いはＩＰネットワークを介して接続され電話機能を有する端末装置からなり、電話番号としての着信接続識別データを有する電話端末である。着信者端末装置１２の電話番号は、複数の数字からなる着信接続番号或いは複数の英数字及び記号からなる着信接続アドレスである。
【００５３】
呼制御サーバ１３は、ＩＰネットワーク或いは電話回線ネットワークを介して複数の電話端末と通信可能であり、発信者端末装置１１及び着信者端末装置１２の間を通信させる機能を有する。
【００５４】
ｗｅｂサーバ１４は、ｗｅｂページ格納部３６を備えている。
【００５５】
ｗｅｂページ格納部３６は、複数のｗｅｂページを有する格納部であり、接続識別データが記載されているｗｅｂページを格納している。
【００５６】
続いて、本実施例の電話通信システム１０の動作を、発信者端末装置１１から着信者端末装置１２に対して通話を行う場合を例に、説明する。
図２は、本発明に係る電話通信システムの実施例１における動作を示すフローチャートである。
【００５７】
まず、発信者端末装置１１の図示されない入力部から、ｗｅｂサーバ１４に格納されている着信接続識別データが記載されたｗｅｂページに対するアクセス要求が入力され、通信部３５により該アクセス要求がｗｅｂサーバ１４へ送信されると、ｗｅｂサーバ１４は、ｗｅｂページ格納部３６に格納されている該ｗｅｂページを発信者端末装置１１へ送信する。そして、通信部３５がｗｅｂサーバ１４からｗｅｂページを受信すると、制御部２４は、表示部２５に該ｗｅｂページを表示させる（Ｓ１０１）。
【００５８】
続いて、発信者が、選択部２６としてのマウスを操作して、表示部２５に表示されたｗｅｂページ上において、着信接続識別データを選択、即ちクリックすると、検出部２９が、着信接続識別データが選択されたことを検出する（Ｓ１０２）。
【００５９】
検出部による検出を受けて、取得部３０は、選択された着信接続識別データを取得する（Ｓ１０３）。取得された該着信接続識別データは、一時記憶部３１に一時的に記憶される（Ｓ１０３）。
【００６０】
続いて、読出部３２が、一時記憶部３１から着信接続識別データを読み出して、判断部３３が、該着信接続識別データが電話番号、即ち複数の数字からなる接続番号或いは複数の英数字及び記号からなる接続アドレスであるか否かを判断する（Ｓ１０４）。
【００６１】
着信接続識別データが電話番号であると判断されると、読出部３２がアプリケーション記憶部１９から電話通信アプリケーションを読み出して、実行部３４が該電話通信アプリケーションを起動する（Ｓ１０５）。
【００６２】
続いて、読出部３２が、該着信者端末装置１２に対する発信の要求を含む選択メニュー画面、即ち発信選択メニュー画面２２をアプリケーション記憶部１９から読み出して、実行部３４が、表示部２５に該発信選択メニュー画面２２を表示させる（Ｓ１０６）。
【００６３】
その後、発信者が、選択部２６を操作して、該発信選択メニュー画面２２に設けられた発信選択ボタンを選択すると、該発信選択に基づいて、実行部３４が着信者端末装置１２に対する発信要求を生成する。（Ｓ１０７）。
【００６４】
続いて、読出部３２が、発信接続識別データ記憶部２０から発信接続識別データ、即ちＩＰアドレスを読み出して、通信部３５が、該ＩＰアドレスと、着信者端末装置１２との通話で使用するポート番号と、電話番号としての着信接続識別データと、該着信者端末装置１２に対する発信要求とを、呼制御サーバ１３へ送信する（Ｓ１０７）。
【００６５】
発信接続識別データ、着信接続識別データ及び発信要求を受信すると、呼制御サーバ１３は、発信者端末装置１１及び着信者端末装置１２をそれぞれ特定して、これらの間で呼設定を行う（Ｓ１０８）。呼制御サーバ１３による発信者端末装置１１と着信者端末装置１２との間の呼設定については、従来と同一なので、以下に簡単に説明する。
【００６６】
まず、呼制御サーバ１３は、着信者端末装置１２へ着信信号を送信する。この着信信号には、発信者端末装置１１の発信接続識別データ、即ちＩＰアドレスと、通話で使用されるポート番号とが含まれる。
【００６７】
着信者端末装置１２は、呼制御サーバ１３から着信信号を受信すると、着信応答信号を呼制御サーバ１３へ送信する。この着信応答信号には、着信者端末装置１２の着信接続識別データが含まれる。
【００６８】
呼制御サーバ１３は、着信者端末装置１２から応答信号を受信すると、発信者端末装置１１へ発信応答信号を送信する。この発信応答信号には、着信者端末装置１２の着信接続識別データが含まれる。
【００６９】
発信者端末装置１１が呼制御サーバ１３から発信応答信号を受信すると、発信者端末装置１１が受信した着信接続識別データと着信者端末装置１２が受信した発信接続識別データとに基づいて、発信者端末装置１１と着信者端末装置１２とが接続され、音声通話が開始される。発信者は、受話部２７を介する着信者端末装置１２からの音声の聴取及び送話部２８を介する着信者端末装置１２への音声の送出が可能となる。
【００７０】
以上のように、本実施例の電話通信システムによれば、ｗｅｂページ上に記載された電話番号を選択するだけで電話通信を実行可能であるため、電話通信アプリケーションを起動した後で電話番号を入力するという面倒な作業が不要となり、利便性が向上される。また、本実施例の電話通信システムは、発信者端末装置側の開発のみにより実現可能であるため、開発に必要なコストが抑制されると共に、開発作業が軽減される。
【００７１】
なお、本実施例では、発信者端末装置としてヘッドセットが接続されたパーソナルコンピュータを採用したが、パーソナルコンピュータに代えて、ｗｅｂサーバに接続可能且つ電話機能を有する携帯情報端末（Ｐｅｒｓｏｎａｌ  Ｄｉｇｉｔａｌ  Ａｓｓｉｓｔａｎｔｓ；ＰＤＡ）を採用することも可能である。
【００７２】
また、発信者端末装置として、ｗｅｂサーバに接続可能な携帯電話機を採用することも可能である。この場合、発信接続識別データは、携帯電話機の電話番号である。
【実施例２】
【００７３】
図３は、本発明に係る電話通信システムの実施例２の構成を示すブロック図である。この電話通信システム４０を利用することにより、電話の転送を行うことができる。
なお、本実施例において、実施例１と同様な構成を同一の符号で示し、これらについての説明を省略する。
【００７４】
電話通信システム４０は、図３に示されるように、発信者端末装置４１、着信者端末装置４２、転送先端末装置４３、呼制御サーバ１３及びｗｅｂサーバ１４を備えている。
【００７５】
発信者端末装置４１は、本実施例ではインターネット１５を介してｗｅｂサーバ１４に接続可能なパーソナルコンピュータ４４及び該パーソナルコンピュータ１７に接続されるヘッドセット１８からなる。
【００７６】
パーソナルコンピュータ４４は、アプリケーション記憶部４５、発信接続識別データ記憶部２０、表示選択部２１及びこれら各部を制御する制御部４６を備えている。
【００７７】
アプリケーション記憶部４５は、呼制御サーバ１３を介して着信者端末装置４２及び転送先端末装置４３との間で通信を行うための電話通信アプリケーションを記憶している記憶部であり、発信選択メニュー画面２２及び転送選択メニュー画面４９を記憶している。
【００７８】
転送選択メニュー画面４９には、電話の転送の要求を発信者に選択させるための転送選択ボタンが設けられている。
【００７９】
制御部４６は、検出部２９、取得部３０、一時記憶部３１、読出部３２、判断部３３、実行部４７及び通信部４８を備えている。
【００８０】
実行部４７は、読出部３２によりアプリケーション記憶部４５から読み出された電話通信アプリケーションを起動する機能や、発信選択メニュー画面２２において、選択部２６により発信選択ボタンが選択されると、着信者端末装置４２に対する発信を要求するための発信要求を生成する機能、転送選択メニュー画面４９において、選択部２６により転送選択ボタンが選択されると、転送先端末装置４３への電話の転送を要求するための転送要求を生成する機能等を有する。
【００８１】
通信部４８は、実行部４７により生成された発信要求や転送要求を呼制御サーバ１３へ送信する送信部としての機能を有し、ＩＰネットワーク１６を介して呼制御サーバ１３との間で通信を行い、また、インターネット１５を介してｗｅｂサーバ１４との間で通信を行う。
【００８２】
転送先端末装置４３は、例えば、呼制御サーバ１３と電話回線ネットワークを介して接続される電話機或いはＩＰネットワークを介して接続され電話機能を有する端末装置からなり、電話番号としての転送接続識別データを有する電話端末である。転送先端末装置４３の電話番号は、複数の数字からなる接続番号或いは複数の英数字及び記号からなる接続アドレスである。
【００８３】
続いて、本実施例の電話通信システム４０の動作を、発信者端末装置４１が着信者端末装置４２へ電話を発信した後、転送先端末装置４３へ電話を転送する場合を例に説明する。
図４は、本発明に係る電話通信システムの実施例２における動作を示すフローチャートである。
【００８４】
発信者端末装置４１の表示部２５に着信者端末装置４２の着信接続識別データが記載されたｗｅｂページを表示させて、選択部２６により該着信接続識別データを選択した後、呼制御サーバ１３を介して発信者端末装置４１及び着信者端末装置４２が接続されるまでの動作（Ｓ１０１〜Ｓ１０８）は、実施例１の動作と同じなので、説明を省略する。
【００８５】
発信者端末装置４１と着信者端末装置４２とが接続されて（Ｓ１０８）、両者の間で音声通話が開始された後、発信者端末装置４１の図示されない入力部から、ｗｅｂサーバ１４に格納されている転送先端末装置４３の転送接続識別データが記載されたｗｅｂページに対するアクセス要求が入力され、通信部４８により該アクセス要求がｗｅｂサーバ１４へ送信されると、ｗｅｂサーバ１４は、ｗｅｂページ格納部３６に格納されている該ｗｅｂページを発信者端末装置４１へ送信する。そして、通信部４８がｗｅｂサーバ１４からｗｅｂページを受信すると、制御部４６は、表示部２５に該ｗｅｂページを表示させる（Ｓ１０９）。
【００８６】
続いて、発信者が、選択部２６を操作して、表示部２５に表示されたｗｅｂページ上において、転送先端末装置４３の転送接続識別データを選択すると、検出部２９が、転送接続識別データが選択されたことを検出する（Ｓ１１０）。
【００８７】
そして、取得部３０が、選択された転送接続識別データを取得すると、該転送接続識別データは、一時記憶部３１に一時的に記憶される（Ｓ１１１）。
【００８８】
続いて、読出部３２が一時記憶部３１から転送接続識別データを読み出すと、判断部３３は、該転送接続識別データが電話番号、即ち複数の数字からなる接続番号或いは複数の英数字及び記号からなる接続アドレスであるか否かを判断する（Ｓ１１２）。
【００８９】
転送接続識別データが電話番号であると判断されると、読出部３２がアプリケーション記憶部４５から転送選択メニュー画面４９を読み出して、実行部４７が表示部２５に該転送選択メニュー画面４９を表示させる（Ｓ１１３）。
【００９０】
その後、発信者が、選択部２６を操作して、該転送選択メニュー画面４９に設けられた転送選択ボタンを選択すると、該転送選択に基づいて、実行部４７が転送先端末装置４３に対する転送要求を生成する（Ｓ１１４）。
【００９１】
続いて、通信部４８が、電話番号としての転送接続識別データと、該転送先端末装置４３に対する転送要求とを、呼制御サーバ１３へ送信する（Ｓ１１４）。
【００９２】
転送接続識別データ及び転送要求を受信すると、呼制御サーバ１３は、転送先端末装置４３を特定して、電話の転送を行う（Ｓ１１８）。呼制御サーバ１３による電話の転送は、従来と同様であるので、以下に簡単に説明する。
【００９３】
呼制御サーバ１３は、発信者端末装置４１から転送要求を受信すると、着信者端末装置４２に対して保留要求信号を送信する。この保留要求信号に基づいて、発信者端末装置４１と着信者端末装置４２との間の音声通話は停止され、着信者端末装置４２の図示されない受話部には、保留音が再生される。
【００９４】
続いて、呼制御サーバ１３は、転送接続識別データに基づいて転送先端末装置４３を特定し、該転送先端末装置４３に着信信号を送信する。この着信信号には、発信接続識別データ、即ちＩＰアドレスと、転送先端末装置４３との通話に使用されるポート番号とが含まれる。
【００９５】
転送先端末装置４３は、呼制御サーバ１３から着信信号を受信すると、着信応答信号を呼制御サーバ１３へ送信する。この着信応答信号には、転送接続識別データが含まれる。
【００９６】
呼制御サーバ１３は、転送先端末装置４３から着信応答信号を受信すると、発信者端末装置４１へ発信応答信号を送信する。この発信応答信号には、転送接続識別データが含まれる。
【００９７】
発信者端末装置４１が呼制御サーバ１３から発信応答信号を受信すると、発信者端末装置４１が受信した転送接続識別データと転送先端末装置４３が受信した発信接続識別データとに基づいて、発信者端末装置４１と転送先端末装置４３とが接続され、音声通話が開始される。
【００９８】
その後、発信者が選択部２６を操作して、電話の切断の要求を選択すると、実行部４７により切断要求が生成されて、該切断要求が通信部４８から呼制御サーバ１３へ送信される。そして、発信者端末装置４１と転送先端末装置４３との通信は切断され、発信者端末装置４１は、電話通信アプリケーションの起動を終了する。
【００９９】
呼制御サーバ１３は、続いて、着信者端末装置４２及び転送先端末装置４３へ、それぞれ通話先切替要求信号を送信する。着信者端末装置４２へ送信される通話先切替要求信号には、転送接続識別データが含まれ、転送先端末装置４３へ送信される通話先切替要求信号には、着信接続識別データが含まれる。そして、呼制御サーバ１３は、着信者端末装置４２及び転送先端末装置４３からそれぞれ応答信号を受信すると、着信者端末装置４２と転送先端末装置４３との間で呼設定を行う。そして、着信者端末装置４２と転送先端末装置４３とが接続され、音声通話が開始される。
【０１００】
以上のように、本実施例の電話通信システムによれば、音声通話中の発信者電話端末及び着信者電話端末の何れかが、ｗｅｂページ上に記載された電話番号を選択するだけで、該電話番号を有する第三者の電話端末に対して、電話を転送することが可能となり、更なる利便性の向上が実現される。
【０１０１】
なお、本実施例では、発信者端末装置としてヘッドセットが接続されたパーソナルコンピュータを採用したが、パーソナルコンピュータに代えて、ｗｅｂサーバに接続可能且つ電話機能を有する携帯情報端末（Ｐｅｒｓｏｎａｌ  Ｄｉｇｉｔａｌ  Ａｓｓｉｓｔａｎｔｓ；ＰＤＡ）を採用することも可能である。
【０１０２】
また、発信者端末装置として、ｗｅｂサーバに接続可能な携帯電話機を採用することも可能である。この場合、発信接続識別データは、携帯電話機の電話番号である。
【図面の簡単な説明】
【０１０３】
【図１】本発明に係る電話通信システムの実施例１の構成を示すブロック図である。
【図２】本発明に係る電話通信システムの実施例１における動作を示すフローチャートである。
【図３】本発明に係る電話通信システムの実施例２の構成を示すブロック図である。
【図４】本発明に係る電話通信システムの実施例２における動作を示すフローチャートである。
【符号の説明】
【０１０４】
１０  電話通信システム
１１  発信者端末装置
１２  着信者端末装置
１３  呼制御サーバ
１４  ｗｅｂサーバ
１９  アプリケーション記憶部
２１  表示選択部
２４  制御部
【図１】
0004784314.tif 000002
【図２】
0004784314.tif 000003
【図３】
0004784314.tif 000004
【図４】
0004784314.tif 000005